(57)【要約】      （修正有）【課題】パンスト購入検討者の地肌の色合いを考慮してパンストの色を容易に確認できる色見本を提供する。【解決手段】この色見本１００は、開口部にパンストのサンプル生地Ｓ（１）〜Ｓ（４）が設けられた台紙部１１０と、台紙部１１０に対して進退自在に設けられた白色台紙１５０とを備え、開口部をパンスト購入検討者自身の地肌に合わせる。台紙部１１０に白色台紙１５０の背景部１５２を進行させて（矢示Ｘ（１）方向）開口部が背景部１５２で塞がれるとパンストの生地そのもの（一重）の色を、背景部１５２を退行させて（矢示Ｘ（２）方向）開口部が開放されるとパンスト購入検討者自身の地肌にパンストの生地そのもの（一重）を重ねた色を、確認することができる。【選択図】図２
0003202760.tif 000002
【実用新案登録請求の範囲】
【請求項１】
略同じ位置に開口部をそれぞれ備えた略四辺形形状の２枚の台紙を含む、薄手衣類の色見本であって、
前記２枚の台紙の間に、前記台紙に対して進退自在に設けられた白地の白色台紙を備え、前記白色台紙が前記台紙に進行すると前記開口部が前記白色台紙で塞がれ、前記白色台紙が前記台紙から退行すると前記開口部が開放され、
前記薄手衣類の生地であって前記開口部よりも大きい生地により前記開口部の全体が覆われるように、前記薄手衣類の生地の周縁が前記開口部の周縁に固定された、薄手衣類の色見本。
【考案の詳細な説明】
【技術分野】
【０００１】
本考案は、薄手衣類（上半身衣類を代表してアンダーシャツ、下半身衣類を代表してパンティストッキング）の販売に用いられる色見本に関し、特に、その薄手衣類自体の色を容易に確認することに加えて、購入検討者が着用した場合にその購入検討者の地肌の色合いを考慮して薄手衣類の色を容易に確認することのできる色見本に関する。ここで、薄手衣類とは、人が着用する全ての薄手衣類であって、ショーツ、アンダーシャツ、パンティストッキング（以下においてパンストと記載する場合がある）、タイツ、靴下（膝丈程度の短いストッキングを含む）等を含み、特に試着が好ましくない下着類を含む。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。このようなパッケージが適用される薄手衣類の一例としてパンティストッキングがある。
実用新案登録第３１１８０８０号公報(特許文献１)は、包装および陳列時の見栄えを失うことなく、携帯に適するように工夫した、複数足をまとめてコンパクトに包装できる新規の足組ストッキングの包装形態を開示する。この包装形態は、透明素材の包装袋と一枚の中台紙とにより構成され、包装袋は陳列時に正面に位置する特定小袋部を含む少なくとも２個の小袋部が連続して設けられ、各小袋部の取出し口には取出し口の閉じ用蓋片が設けられ、各小袋部どうし間には手指で切り離すための切取り線が設けられ、小袋部の縁には全体を折り畳み状態に保持する保持片および陳列用吊下げ片が設けられており、また中台紙は特定小袋部より小さい大きさとされ、一足目のストッキングが中台紙を用いてまとめられてストッキングの一部が中台紙の外面を覆う展開状態にされて特定小袋部内に収納され、一足目以外のストッキングは中台紙を用いることなくまとめられて他の小袋部内に収納されてから、全体が特定小袋部を正面にした折り畳み状態にされると共に、折り畳み状態が保持片により保持されるようにしてなり、中台紙は二つ折りにしたときに特定小袋部より一回り小さいサイズになる大きさの白地の板紙により構成され、二つ折りの一方側が前面版、他方側が後面版として機能するようにされ、前面版には透窓が開口されるとともに透窓近傍にはストッキング着用時の色見本表示用の区画が設けられている。
【０００３】
この包装形態によると、前面版には透窓が開口され、また透窓の横個所にはパンティストッキングの着用時の色見本表示用の区画(白地部分)が設けられる。そして、前面版に開口された透窓を通して折り畳まれたパンティストッキングが視覚によりその色を確認できるとともに、中台紙の外面に展開状態にされたパンティストッキングにおけるレッグ部分の一部は、色見本表示用の区画（白地部分）の外側にあって着用時の色見本の表示機能を果たすことができる。
【０００４】
ところで、この特許文献１に開示された包装形態において視覚により確認できるパンティストッキングの色は、透窓を通して何重かに折り畳まれた状態（後述する生地四重分よりも多く折り畳まれた状態）のパンティストッキングの色、および、色見本表示用の区画(白地部分)の外面に接触した片足分の生地二重分（または両足の生地四重分）のパンティストッキングの色となる。
【０００５】
また、パンティストッキングを含む靴下類を商品として販売する際の包装として、靴下類を長方形状に折り畳んでビニール製等の透明の包装袋に入れる場合に靴下類の色をはっきりみせるために靴下類に白色の台紙を挿入して包装することがある。実用新案登録第３０４１０８２号公報(特許文献２)は、このように台紙を靴下類に挿入して包装すると靴下類から台紙を取り出すとき、台紙の角が靴下類に引っかかり、台紙を取り出すのが面倒であったり、取り出しの際、靴下類に傷をつけたり、破いたりしてしまうことがあることに鑑み、靴下類を包装する際に靴下類内に挿入される包装用台紙であって、包装用台紙の中央部長手方向に折罫線もしくは切込線を設けたことを特徴とする靴下類包装用台紙を、開示する。
【０００６】
この靴下類包装用台紙によると、視覚により確認できるパンティストッキングの色は、透明の包装袋を通してパンティストッキングの生地そのもの（一重）のパンティストッキングの色となる。
【先行技術文献】
【特許文献】
【０００７】
【特許文献１】実用新案登録第３１１８０８０号公報
【特許文献２】実用新案登録第３０４１０８２号公報
【考案の概要】
【考案が解決しようとする課題】
【０００８】
ここで、パンティストッキング等の商品はそのファッション性のために、多色展開していることが多く、上述した特許文献１に開示された包装形態または特許文献２に開示された靴下類包装用台紙をパンティストッキングに適用することは、購入検討者が多色展開された商品群の中から要望する商品を容易に選択することができる点で好ましい。
しかしながら、上述した特許文献に開示された包装形態および靴下類包装用台紙を用いた場合、視覚により確認できるパンティストッキングの色は、透窓を通して何重かに折り畳まれた状態のパンティストッキングの色であったり、色見本表示用の区画(白地部分)の外面に接触した片足分の生地二重分（または両足の生地四重分）のパンティストッキングの色であったり、透明な包装袋を通したパンティストッキングの生地そのもの（一重）のパンティストッキングの色であったりする。パンティストッキング等の薄手衣類は、編地の種類（編糸および編組織）または色によっては着用者の地肌の色がパンティストッキングの生地を透過してしまうので上述したように包装状態のパッケージで確認した色と実際に着用した色とで異なる場合がある。この場合、購入決定時に想像していた色と異なることに、パンティストッキングを購入してパンティストッキングを着用して初めて気付くことになる。さらに、パンティストッキングおよび下着等の薄手衣類は試着が好ましくなく、さらに多色展開している全ての色の着用サンプルを準備することも好ましくなく、着用サンプルを準備できたとしても着用サンプルに不潔感を抱く購入検討者が存在することもあって、このような薄手衣類は商品を購入して実際に着用しないと地肌の色が反映された色を確認することができないのが現状である。
【０００９】
本考案は、従来技術の上述の問題点に鑑みて開発されたものであり、その目的とするところは、薄手衣類の購入検討者が着用した場合にその購入検討者の地肌の色合いを考慮して薄手衣類の色を容易に確認することのできる薄手衣類の色見本を提供することである。
【課題を解決するための手段】
【００１０】
上記目的を達成するため、本考案に係る、薄手衣類の色見本は以下の技術的手段を講じている。
すなわち、本考案に係る薄手衣類の色見本は、略同じ位置に開口部をそれぞれ備えた略四辺形形状の２枚の台紙を含む、薄手衣類の色見本であって、前記２枚の台紙の間に、前記台紙に対して進退自在に設けられた白地の白色台紙を備え、前記白色台紙が前記台紙に進行すると前記開口部が前記白色台紙で塞がれ、前記白色台紙が前記台紙から退行すると前記開口部が開放され、前記薄手衣類の生地であって前記開口部よりも大きい生地により前記開口部の全体が覆われるように、前記薄手衣類の生地の周縁が前記開口部の周縁に固定されていることを特徴とする。
【考案の効果】
【００１１】
本考案の薄手衣類の色見本によれば、薄手衣類の購入検討者が着用した場合にその購入検討者の地肌の色合いを考慮して薄手衣類の色を容易に確認することができる。
【図面の簡単な説明】
【００１２】
【図１】本考案の実施の形態に係る薄手衣類の色見本（サンプル生地貼付前）における（Ａ）白色台紙進行状態、（Ｂ）白色台紙退行状態を示す斜視図である。
【図２】本考案の実施の形態に係る薄手衣類の色見本（サンプル生地貼付後）における（Ａ）白色台紙進行状態、（Ｂ）白色台紙退行状態を示す斜視図である。
【図３】図１に示す薄手衣類の色見本（サンプル生地貼付前）の展開図である。
【図４】図３の展開図に示す色見本から図２の斜視図に示す色見本を形成する手順を示す平面図である。
【考案を実施するための形態】
【００１３】
以下、本考案の実施の形態に係る薄手衣類の色見本１００（以下において単に色見本１００と記載する場合がある）を、図面に基づき詳しく説明する。なお、この色見本１００が好ましく適用される衣類は薄手衣類である。ここで、薄手衣類とは、上述したように、人が着用する全ての薄手衣類であって、ショーツ、アンダーシャツ、パンティストッキング、タイツ、靴下（膝丈程度の短いストッキングを含む）等を含み、特に試着が好ましくない下着類であって、以下においては、婦人用パンティストッキング（以下において単にパンストと記載する場合がある）であるとして説明する。この色見本１００が好ましく適用される衣類としては、このような婦人用パンティストッキングに限定されるものではなく、婦人用および紳士用を問わない、上述した薄手衣類である。
【００１４】
パンストのサンプル生地Ｓを貼付する前の色見本１００であって、白色台紙１５０が矢示Ｘ（１）側に進行した状態を示す斜視図を図１（Ａ）に、白色台紙１５０が矢示Ｘ（２）側に退行した状態を示す斜視図を図１（Ｂ）に、パンストのサンプル生地Ｓを貼付した後の色見本１００であって、図１（Ａ）に対応する斜視図を図２（Ａ）に、図１（Ｂ）に対応する斜視図を図２（Ｂ）に、それぞれ示す。さらに、パンストのサンプル生地Ｓを貼付していない色見本１００の展開図を図３に、図３の展開図に示す色見本１００から図２の斜視図に示す色見本１００を形成する手順を示す平面図を図４に、それぞれ示す。これらの図を参照して、本実施の形態に係る色見本１００について詳しく説明する。
【００１５】
この色見本１００は、大略的には、台紙部１１０と、その台紙部１１０の切込部１４４に挿入された把持部１５４と背景部１５２とで構成されるＴ字形状の白色台紙１５０とで構成される。台紙部１１０は、略同じ位置に第一開口部１４２および第二開口部１３２をそれぞれ備えた略四辺形形状の２枚の第一台紙１４０および第二台紙１３０を含み、さらに、略同じ位置に第三開口部１２２を備えた略四辺形形状の第三台紙１２０を備えるようにしても構わない。
【００１６】
そして、少なくとも２枚の台紙（第一台紙１４０および第二台紙１３０）の間に、これらの台紙（第一台紙１４０および第二台紙１３０）に対して進退自在にＴ字形状の白地の白色台紙１５０が設けられ（台紙部１１０の切込部１４４に把持部１５４が挿入されて白色台紙１５０が設けられ）、パンスト購入検討者がこの色見本１００を一方の手で把持して白色台紙１５０の把持部１５４を他方の手で把持してこれらの台紙（第一台紙１４０および第二台紙１３０）に白色台紙１５０の背景部１５２を進行させると（矢示Ｘ（１）方向）開口部（第一開口部１４２および第二開口部１３２）が白色台紙１５０の背景部１５２で塞がれ、白色台紙１５０の背景部１５２をこれらの台紙（第一台紙１４０および第二台紙１３０）から退行させると（矢示Ｘ（２）方向）開口部（第一開口部１４２および第二開口部１３２）が開放される。
【００１７】
さらに、薄手衣類の一例であるパンストの生地（サンプル生地Ｓ）であって開口部（第一開口部１４２および第二開口部１３２）よりも大きい生地により開口部（第一開口部１４２および第二開口部１３２）の全体が覆われるように、パンストのサンプル生地Ｓの周縁が開口部（第一開口部１４２または第二開口部１３２）の内側の面の周縁に固定（接着）されている。ここで、この色見本１００の１個あたりの開口部（第一開口部１４２または第二開口部１３２および後述する第三開口部１２２）の個数（サンプル生地Ｓの種類数に同じ）は、図示した４個に限定されるものではなく、１個以上であれば構わない。また、サンプル生地Ｓはパンストの生地そのもの（かつ重なりのない一重）である。
【００１８】
なお、第三開口部１２２を備えた略四辺形形状の第三台紙１２０を備える場合には、たとえば、パンストのサンプル生地Ｓの周縁を第一開口部１４２の第二台紙１３０側（内側）の面の周縁に固定（接着）しておいて、第二台紙１３０と第三台紙１２０との間にＴ字形状の白地の白色台紙１５０を挟み込むようにして、これらの台紙（第一台紙１４０、第二台紙１３０および第三台紙１２０）から形成される台紙部１１０に対して白色台紙１５０が進退自在に形成すると白色台紙１５０を第三台紙１２０と第二台紙１３０との間で保
持できるので好ましい。ここで、第三台紙１２０を備える場合であっても、パンストのサンプル生地Ｓの周縁を開口部（第一開口部１４２、第二開口部１３２または第三開口部１２２）の周縁に固定（接着）して、かつ、３つの台紙（第一台紙１４０、第二台紙１３０、第三台紙１２０）の任意の２つの台紙の間に白色台紙１５０を挟み込んで台紙部１１０に対して白色台紙１５０が進退自在に形成するものであれば、上述した構成に限定されるものではない。以下において、この第三台紙１２０を備えるものとして、この色見本１００について図１〜図４を参照して詳しく説明する。
【００１９】
これらの図（特に図３）に示すように、この色見本１００を構成する白色台紙１５０は、把持部１５４とその把持部１５４よりも幅方向（図３における紙面横方向、図４における紙面縦方向）が大きな背景部１５２とを備える１枚のＴ字状の紙で構成されており、台紙部１１０の切込部１４４に把持部１５４が挿入される。この白色台紙１５０において、少なくとも背景部１５２におけるパンストのサンプル生地Ｓに当接する面は、白色かつ無地で構成されている。また、背景部１５２は、開口部（ここでは４個の開口部）を、全て塞ぐことのできる大きさを備える。さらに、この白色台紙１５０において、把持部１５４の長さ（図３における紙面縦方向、図４における紙面横方向）は、最も矢示Ｘ（１）側へ白色台紙１５０を進行させた場合に、台紙部１１０の切込部１４４から把持部１５４が突出してかつその把持部１５４を手指で掴める程度の長さである。
【００２０】
そして、白色台紙１５０とともにこの色見本１００を構成する台紙部１１０は、展開状態で１枚の紙で構成されており、色は白色台紙１５０の背景部１５２のように白色に限定されるものではなく、外側から見える部位（図１および図２における紙面表裏方向の部位）には、この色見本１００が適用されるパンストの色番号、色名称、商品名、訴求ポイント（キャッチフレーズ）、仕様（糸使い、サイズ、色）等が記載された表示領域を備えるようにしても構わない。特に、色番号、色名称については、開口部に設けられるパンストのサンプル生地Ｓに対応するように表示される。
【００２１】
なお、この色見本１００を構成する台紙部１１０および白色台紙１５０は、（台紙と記載しているものの）紙製のものに限定されるものではなく、樹脂製等の平面プレートを切断加工したものであっても構わないが、以下においては、上述したように紙（厚紙）製のものとして説明する。
図３に示すように、この台紙部１１０は、第一台紙１４０、第二台紙１３０、第三台紙１２０が連なって１枚の紙で構成され、第一台紙１４０と第二台紙１３０との間の第一折線１４６、および、第二台紙１３０と第三台紙１２０との間の第二折線１３８は、ともに谷線である。
【００２２】
第一台紙１４０においては、第一折線１４６の中央部近傍には白色台紙１５０の把持部１５４が挿入される切込部１４４が、その長さが把持部１５４の幅方向長さに対応するように設けられている。
第二台紙１３０においては、そのいずれかの左右端に吊下穴１３６を備えた切片１３４が延設されている。パンストを展示販売する什器（展示台）に多数のパンストのパッケージを吊り下げるために多数設けられた丸棒（ステー）がこの吊下穴１３６に通されて、この色見本１００がその什器に吊り下げられる。この点では、この色見本１００の外形寸法（図２（Ａ）に示す状態における外径寸法）は、パンストのパッケージと同程度であることが好ましい。
【００２３】
第三台紙１２０においては、その左右端に折曲切片１２４が延設されており、折曲切片１２４は第三折線１２６が谷線になるように折り曲げられて第二台紙１３０の左右端部（図３の紙面表側）と谷線で第三折線１２６が折り曲げられた折曲切片１２４（図３の紙面裏側）とが貼付されて、第二台紙１３０と第三台紙１２０との間にＴ字形状の白地の白色台紙１５０が挟み込まれる。
【００２４】
図４を参照して、色見本１００を形成する手順を説明する。
図４（Ａ）に示すように、パンストのサンプル生地Ｓ（一重）の周縁が第一台紙１４０の第一開口部１４２の第二台紙１３０側（内側）の面（第一折線１４６が谷線になるように第一台紙１４０と第二台紙１３０とが折り曲げられたときの第一台紙１４０が第二台紙
１３０に当接する面）の周縁に固定（接着）する。ここでは、サンプル生地Ｓ（１）〜Ｓ（４）が固定されるものとする。
【００２５】
次に、図４（Ｂ）に示すように、台紙部１１０の第二台紙１３０に白色台紙１５０を載置する。このとき、台紙部１１０の切込部１４４に白色台紙１５０の把持部１５４が挿入されている。
次に、図４（Ｃ）に示すように、第三台紙１２０の上下端（図４における上下端であって図３における左右端）に延設された折曲切片１２４を第三折線１２６が谷線になるように折り曲げて、さらに、第二折線１３８が谷線になるように第二台紙１３０と第三台紙１２０とを折り曲げて、第二台紙１３０の左右端部（図４の紙面表側）と谷線で第三折線１２６が折り曲げられた折曲切片１２４（図４の紙面裏側）とを貼付する。このとき、第二台紙１３０と第三台紙１２０との間にＴ字形状の白地の白色台紙１５０が挟み込まれる。なお、図４（Ｃ）に紙面において、限定されるものではないが、上側から第一台紙１４０、第三台紙１２０、背景部１５２、折曲切片１２４、第二台紙１３０の順に重なっている。このように構成しているので、これらの第二台紙１３０および第三台紙１２０から形成される隙間に対して白色台紙１５０が進退自在に形成できるとともに、白色台紙１５０を第三台紙１２０と第二台紙１３０との間で保持できるので好ましい。
【００２６】
次に、図４（Ｄ）に示すように、第一折線１４６が谷線になるように第一台紙１４０と第二台紙１３０とを折り曲げて、第一台紙１４０と第二台紙１３０とが当接する面（図４（Ｃ）における第一台紙１４０の紙面表側と第二台紙１３０の紙面表側とが当接する面）における開口部以外の全面的または部分的に貼付する。
このようにして色見本１００を構成すると、パンスト購入検討者がこの色見本１００を一方の手で把持して白色台紙１５０の把持部１５４を他方の手で把持して、白色台紙１５０を矢示Ｘ（１）側に進行させた図４（Ｄ）に示す生地色確認状態と、白色台紙１５０を矢示Ｘ（２）側に退行させた図４（Ｅ）に示す地肌重ね色確認状態とを実現することができる。
【００２７】
以上のような構成を備えた色見本１００は、以下のように使用する。
パンスト購入検討者は、たとえば、多数のパンストのパッケージが吊り下げられたパンストを展示販売する什器（展示台）に近寄ると、吊下穴１３６に丸棒（ステー）が通されてその什器に吊り下げられたこの色見本１００を手に取る。この色見本１００を一方の手で把持して白色台紙１５０の把持部１５４を他方の手で把持して、白色台紙１５０を矢示Ｘ（１）側に進行させた図２（Ａ）および図４（Ｄ）に示す生地色確認状態においては、サンプル生地Ｓ（１）〜Ｓ（４）の裏側に白色台紙１５０の白色無地の背景部１５２が存在する。このため、パンスト購入検討者が開口部を見て視覚により認識する色は、パンストの生地そのもの（一重）の色となる。
【００２８】
次に、パンスト購入検討者は、この色見本１００を一方の手で把持して白色台紙１５０の把持部１５４を他方の手で把持して、白色台紙１５０を矢示Ｘ（２）側に退行させた図２（Ｂ）および図４（Ｅ）に示す地肌重ね色確認状態においては、パンスト購入検討者の地肌（腕、足等）にこの色見本１００の開口部を重ねる。このとき、サンプル生地Ｓ（１）〜Ｓ（４）の裏側に白色台紙１５０の白色無地の背景部１５２が存在しないでパンスト購入検討者の地肌が存在する。このため、パンスト購入検討者が開口部を見て視覚により認識する色は、パンストの生地そのもの（一重）の色ではなく、パンスト購入検討者自身の地肌にパンストの生地そのもの（一重）を重ねた色となる。この場合において、実際の自身の地肌に色見本１００の開口部を重ねるために、パンスト購入検討者の地肌の色が人により様々であるが、その色のパンストをその人が着用したときの色をその人が認識することができる。
【００２９】
なお、図示したように、図２（Ａ）および図４（Ｄ）に示すサンプル生地Ｓ（１）〜Ｓ（４）に対して、図２（Ｂ）および図４（Ｅ）に示すサンプル生地Ｓ（１）〜Ｓ（４）は、地肌の色の分だけ濃くなっている。
以上のようにして、本実施の形態に係る色見本１００によると、薄手衣類の一例であるパンティストッキングの購入検討者が着用した場合にその購入検討者の地肌の色合いを考
慮して薄手衣類の色を容易に確認することができる。特に、パンティストッキングの生地そのものの色と容易に比較して確認できる点で好ましい。
【００３０】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３１】
本考案は、商品である薄手衣類の色見本として好適であり、その薄手衣類の購入検討者が着用した場合にその購入検討者の地肌の色合いを考慮して薄手衣類の色を容易に確認できる点で特に好適である。
【符号の説明】
【００３２】
１００    色見本
１１０    台紙部
１５０    白色台紙
【図１】
0003202760.tif 000003
【図３】
0003202760.tif 000004
【図２】
0003202760.tif 000005
【図４】
0003202760.tif 000006